(57)【要約】ゲートバルブは、バルブ本体内部で開放位置と閉鎖位置との間を移動可能なゲートと、ゲートの互いに反対側の外側シール面間のイコライザポートを規定する、ゲートに設けられた壁と、を有している。イコライザポートは、ゲートの作動によって、閉鎖位置と開放位置との間、および開放位置と閉鎖位置との間を移動できるように構成および配置されている。
2011517755.tif 000002
【特許請求の範囲】
【請求項１】
バルブ本体内部で開放位置と閉鎖位置との間を移動可能なゲートと、
前記ゲートの互いに反対側の外側シール面間のイコライザポートを規定する、前記ゲートに設けられた壁と、
を有するゲートバルブ。
【請求項２】
前記イコライザポートが、前記ゲートの作動によって、閉鎖位置と開放位置との間、および開放位置と閉鎖位置との間を移動できるように構成および配置されている、請求項１に記載のゲートバルブ。
【請求項３】
前記ゲート内部のキャビティを形成する内面を有し、前記イコライザポートが、前記キャビティ内部の少なくとも１つの移動可能なイコライザゲートに設けられている、請求項２に記載のゲートバルブ。
【請求項４】
前記イコライザゲートが、前記ゲートの前記キャビティ内部のキャリア内部に設けられ、該キャリアが、開放位置と閉鎖位置との間を移動可能であるとともに、前記バルブの外側のハンドルによって、直線作動するように接続されている、請求項３に記載のゲートバルブ。
【請求項５】
前記キャリアが、前記ハンドルまで延びるねじ付きロッドに接続されたねじ山を有する、請求項４に記載のゲートバルブ。
【請求項６】
前記キャリアが側面を有し、該側面が、前記キャビティ内部でスライドして相対直線運動するために、前記ゲート内部の前記キャビティの隣接する内側面と密接に相互嵌合するように間隔をおいて配置されている、請求項５に記載のゲートバルブ。
【請求項７】
前記キャリアが、互いに反対側の２つの端面を有し、該端面間の直線距離が前記キャビティの内端面間の直線距離よりも短く、それにより、前記開放位置と前記閉鎖位置との間の直線作動時に、前記キャビティ内部で直線移動する範囲が前記キャリアに与えられ、前記開放位置では、一方の前記端面が前記キャビティの一方の前記内端面と接触し、前記閉鎖位置では、他方の前記端面が前記キャビティの他方の前記内端面と接触し、それにより、中間層の各内端面と接触する前記キャリアの前記端面が、前記ゲートを前記開放位置と前記閉鎖位置との間で移動させるように機能する、請求項６に記載のゲートバルブ。
【請求項８】
主ゲート通路を規定する内壁を有するとともに、バルブ本体内部で開放位置と閉鎖位置との間を移動可能なゲートであって、前記開放位置では、前記主ゲート通路が、前記ゲートの両側の前記バルブ本体に設けられた主通路を規定する壁と整列して、前記バルブを通過する流れが可能になるとともに、前記閉鎖位置では、前記ゲートの外側シール面が、前記バルブ本体の前記主通路と整列し、前記ゲートと前記バルブ本体との間のシール部と連動して、前記バルブを通過する流れが阻止される、ゲートを有し、
前記ゲートが、２つの外層と中間層とから形成され、前記ゲートの前記外側シール面が前記外層上にあって、前記主ゲート通路の内壁が、前記外層と前記中間層との内部で整列し、
前記ゲートの前記外層の前記外側シール面まで延びる各外層内のゲートイコライザポートを規定する、前記ゲートの前記外層に設けられた壁と、
前記ゲートの作動によって、閉鎖位置と開放位置との間、および開放位置と閉鎖位置との間を移動できるように構成および配置された内部イコライザポートと、を有し、
前記ゲート内部のキャビティを形成する内面を有し、前記内部イコライザポートが、前記キャビティ内部の少なくとも１つの移動可能なイコライザゲートに設けられ、
前記イコライザゲートが、前記ゲートの前記キャビティ内部のキャリア内部に設けられ、該キャリアが、開放位置と閉鎖位置との間を移動可能であるとともに、前記バルブの外側のハンドルによって、直線作動するように接続され、
前記キャリアが、前記ハンドルまで延びるねじ付きロッドに接続されたねじ山を有し、
前記キャリアが側面を有し、該側面が、前記キャビティ内部でスライドして相対直線運動するために、前記ゲート内部の前記キャビティの隣接する内側面と密接に相互嵌合するように間隔をおいて配置され、
前記キャリアが、互いに反対側の２つの端面を有し、該端面間の直線距離が前記キャビティの内端面間の直線距離よりも短く、それにより、前記開放位置と前記閉鎖位置との間の直線作動時に、前記キャビティ内部で直線移動する範囲が前記キャリアに与えられ、前記開放位置では、一方の前記端面が前記キャビティの一方の前記内端面と接触し、前記閉鎖位置では、他方の前記端面が前記キャビティの他方の前記内端面と接触し、それにより、前記中間層の前記各内端面と接触する前記キャリアの前記端面が、前記ゲートを前記開放位置と前記閉鎖位置との間で移動させるように機能し、
前記イコライザゲートの移動可能な前記内部イコライザポートは、前記キャリアが前記開放位置にあるときには、前記ゲートイコライザポートと整列することによって開放され、前記キャリアが閉鎖位置にあるときには、前記ゲートイコライザポートと整列しない状態に移動することによって閉鎖されるように寸法設定および配置されている、
ゲートバルブ。
【請求項９】
前記外層と前記中間層とが、締結ピンによって連結されている、請求項８に記載のゲートバルブ。
【請求項１０】
前記各外層が内面を有し、該内面が、他方の前記外層の前記内面に対向し、前記中間層が、互いに対向する内端面に接続する、互いに対向する内側面を有し、前記外層と前記中間層との前記内面が、前記ゲート内部の前記キャビティを共に形成する、請求項８に記載のゲートバルブ。
【請求項１１】
前記キャリアが、前記キャリア内部に設けられた雌ねじ山によって、前記ねじ付きロッドと、直線作動するように接続されている、請求項８に記載のゲートバルブ。
【請求項１２】
前記キャリアが、中央部と、該中央部の両側に連結された２つの側部とから形成され、前記中央部には、前記ねじ付きロッドへの接続のための雌ねじ山が形成され、前記中央部が、前記中間層の前記内端面の一方に設けられた隙間を通って延び、前記キャリアの前記側面が、前記側部に形成されている、請求項１０に記載のゲートバルブ。
【請求項１３】
前記キャリアの前記端面は、それぞれが互いに反対側の２つの端面を有する前記側部に形成され、該各側部の前記端面間の直線距離が、前記中間層の前記内端面間の直線距離よりも短い、請求項１２に記載のゲートバルブ。
【請求項１４】
前記側部がそれぞれ、前記ゲートの前記外層の前記内面の方向に開口するイコライザキャビティを形成する内壁を有し、
前記イコライザキャビティに対して密接に相互嵌合するとともに浮動係合するように寸法設定された、前記イコライザキャビティ内部のイコライザゲートと、
前記各イコライザゲート内部の内部イコライザポートを規定する壁と、を有する、請求項１２に記載のゲートバルブ。
【請求項１５】
前記各イコライザゲートが、前記ゲート外層の前記内面の方向に面する、互いに反対側の２つのシール面を有し、
前記各イコライザゲートの前記各シール面と、前記ゲートの前記外層の前記各内面との間に、少なくとも１つのシールプレートが配置されている、請求項１４に記載のゲートバルブ。
【請求項１６】
前記各イコライザゲートの前記各シール面と、前記ゲートの前記外層本体の前記各内面との間に、２つのシールプレートが配置されている、請求項１５に記載のゲートバルブ。
【請求項１７】
主ゲート通路を規定する内壁を有するとともに、バルブ本体内部で開放位置と閉鎖位置との間を移動可能なゲートであって、前記開放位置では、前記主ゲート通路が、前記ゲートの両側の前記バルブ本体に設けられた主通路を規定する壁と整列して、前記バルブを通過する流れが可能になるとともに、前記閉鎖位置では、前記ゲートの外側シール面が、前記バルブ本体の前記主通路と整列し、前記ゲートと前記バルブ本体との間のシール部と連動して、前記バルブを通過する流れが阻止される、ゲートを有し、
前記ゲートが、２つの外層と中間層とから形成され、前記外層と前記中間層とが、締結ピンによって連結され、前記ゲートの前記外側シール面が前記外層上にあって、前記主ゲート通路の内壁が、前記外層と前記中間層との内部で整列し、
前記各外層が内面を有し、該内面が、他方の前記外層の前記内面に対向し、前記中間層が、互いに対向する内端面に接続する、互いに対向する内側面を有し、前記外層と前記中間層との前記内面が、前記ゲートの前記外側シール面に対向する、前記ゲート内部の前記キャビティを共に形成し、
前記キャビティ内部のキャリアであって、開放位置と閉鎖位置との間を移動可能であるとともに、前記キャリア内部に設けられた雌ねじ山によって、前記バルブの外側のハンドルまで延びるねじ付きロッドと、直線作動するように接続されたキャリアを有し、
前記キャリアが、中央部と、該中央部の両側に連結された２つの側部とから形成され、前記中央部には、前記雌ねじ山が形成され、前記中央部が、前記中間層の前記内端面の一方に設けられた隙間を通って延び、
前記側部がそれぞれ側面を有し、該側面が、前記キャビティ内部でスライドして相対直線運動するために、前記中間層の隣接する内側面と密接に相互嵌合するように間隔をおいて配置され、
前記側部がそれぞれ、互いに反対側の２つの端面を有し、前記各側部の前記端面間の直線距離が前記中間層の前記内端面間の直線距離よりも短く、それにより、前記開放位置と前記閉鎖位置との間の直線作動時に、前記キャビティ内部で直線移動する範囲が前記キャリアに与えられ、前記開放位置では、一方の前記端面が、前記中間層の一方の前記内端面と接触し、前記閉鎖位置では、他方の前記端面が、前記中間層の他方の前記内端面と接触し、それにより、前記中間層の前記各内端面と接触する前記側部の前記端面が、前記ゲートを前記開放位置と前記閉鎖位置との間で移動させるように機能し、
前記側部がそれぞれ、前記ゲートの前記外層の前記内面の方向に開口するイコライザキャビティを形成する内壁を有し、
前記イコライザキャビティに対して密接に相互嵌合するとともに浮動係合するように寸法設定された、前記イコライザキャビティ内部のイコライザゲートを有し、
前記各イコライザゲートが、前記ゲート外層の前記内面の方向に面する、互いに反対側の２つのシール面を有し、
前記各イコライザゲートの前記各シール面と、前記ゲートの前記外層の前記各内面との間に、２つのシールプレートが配置され、
前記ゲートの互いに反対側の前記外側シール面間に設けられ、互いに間隔をおいて配置された２つのゲートイコライザポートであって、前記外層間を、該各外層の前記外側シール面から前記キャビティまで延びる２つのゲートイコライザポートを規定する、前記ゲートの前記外層に設けられた壁と、
前記ゲートイコライザポートに整列した前記シールプレートのシールイコライザポートを規定する、前記シールプレートに設けられた壁と、
前記イコライザゲートに設けられた壁であって、前記キャリアが前記開放位置にあるときには、前記ゲートイコライザポートと前記シールイコライザポートとに整列することによって開放され、前記キャリアが閉鎖位置にあるときには、前記ゲートイコライザポートと前記シールイコライザポートとに整列しない状態に移動することによって閉鎖されるように寸法設定および配置された、前記各イコライザゲートの移動可能な内部イコライザポートを規定する壁と、
を有するゲートバルブ。
【発明の詳細な説明】
【技術分野】
【０００１】
本発明は、一般には、流体制御バルブに関する。本発明は、図示および説明される特定の用途に限定されないが、特に、ゲートバルブ内部に収められたイコライジング装置に関する。
【背景技術】
【０００２】
ゲートバルブは、円形または長方形のゲート、あるいはくさびを流体の経路から持ち上げることによって開放する流体制御バルブの一種である。あらゆる種類のゲートバルブに共通の特徴は、ゲートとシートとの間のシール面が平坦なことである。ゲート面は、くさび形を形作っていてよく、あるいは、平行であってよい。ゲートバルブは、流量を調節するために用いられることもあるが、完全に開放したり閉鎖したりするように構成された多くのゲートバルブは、そのような目的には適していない。完全に開放している場合、典型的なゲートバルブは流路を塞ぐことがなく、その結果、摩擦損失が非常に低くなる。
【０００３】
ゲートバルブは、上昇（rising）または非上昇ステム（nonrising stem）のいずれかを有していることが特徴である。上昇ステムは、バルブ位置の視覚的な目安になる。非上昇ステムは、垂直方向の空間が限られている場合、あるいは地下で使用される。
【０００４】
ボンネットによって、バルブ本体の漏れのない閉鎖がもたらされる。ボルト止めされたボンネットは、より大きなバルブや、より高圧での用途で使用される。
【０００５】
通常、ゲートバルブは、パイプライン互換フランジ寸法規格に従ってドリル加工されたフランジ状の端部を有している。ゲートバルブを構成する様々な材料としては、鋳鉄、炭素鋳鋼、砲金、ステンレス鋼、合金鋼、および鍛鋼がある。
【発明の概要】
【発明が解決しようとする課題】
【０００６】
ゲートバルブの周知の欠点は、（本明細書では、バルブが４インチより大きく、ゲート両端の差圧が５０００ｐｓｉを超える用途として定義された）大型高圧用途では、ゲートに作用する力が大きすぎるため、ゲートとそのシールとの間の摩擦により、開放することが困難になったり、不可能になったりすることである。そのような圧力下でゲートを開放することができたとしても、ゲートとそのシールとの間の摩擦、アクチュエータに必要な力、および、わずかに開放した（cracked）ゲートを通る初期等化流れが、それぞれ単独で、あるいはそれらの組み合わせが、バルブに壊滅的な被害を与える場合がある。
【０００７】
この問題に対する従来の解決策は、バルブ両側間をつなぐ外部の等化導管であり、それには、バルブを開放する前に手動で開放して、バルブの圧力を等しくすることができる小さなニードルバルブ等が設けられている。しかしながら、圧力下での操作では、ニードルバルブが激しい故障を起こしやすいため、この解決策は操作者にとって非常に危険である。したがって、高圧用途においては、ゲートバルブの両側の圧力を等しくする安全で効果的な手段が必要である。
【課題を解決するための手段】
【０００８】
本発明のゲートバルブは、内部イコライザポートを備えたゲートを有している。
【０００９】
本発明およびその利点についてのより完全な理解は、添付の図面と共になされる「発明の詳細な説明」から明らかとなろう。
【図面の簡単な説明】
【００１０】
【図１】本発明のゲートバルブを一部破断して示す斜視図である。
【図２】バルブを一部破断して示す側面図である。
【図３】図２の３−３線に沿った断面図である。
【図４】図２の４−４線に沿った断面図である。
【図５】バルブの分解図である。
【図６Ａ】バルブの開閉動作を示すシーケンス図である。
【図６Ｂ】バルブの開閉動作を示すシーケンス図である。
【図６Ｃ】バルブの開閉動作を示すシーケンス図である。
【図６Ｄ】バルブの開閉動作を示すシーケンス図である。
【図６Ｅ】バルブの開閉動作を示すシーケンス図である。
【図６Ｆ】バルブの開閉動作を示すシーケンス図である。
【図６Ｇ】バルブの開閉動作を示すシーケンス図である。
【図７】イコライザゲートの代替形態を備えた、上昇ステム型のバルブを示す図である。
【発明を実施するための形態】
【００１１】
まず、同じ参照番号が同じ構成部品や対応する構成部品を示す図１から図６Ｇを参照すると、ゲートバルブ１０は、主ゲート通路１４を規定する内壁を有するとともに、バルブ本体１６内部で開放位置と閉鎖位置との間を移動可能なゲート１２を有している。開放位置では、主ゲート通路１４が、ゲート１２の両側のバルブ本体１６に設けられた主通路１８，２０を規定する壁と整列して、バルブを通過する流れが可能となり、閉鎖位置（図１から図３）では、ゲートの外側シール面２２，２４が、バルブ本体１６の主通路１８，２０と整列し、ゲート１２とバルブ本体１６との間のシール部２６，２８と連動して、バルブを通過する流れが阻止される。
【００１２】
ゲート１２は、２つの外層４０，４２と中間層４４とから形成され、外層と中間層とは、締結ピン４６によって連結されている。ゲート１２の外側シール面２２，２４は、外層上にあって、主ゲート通路１４の内壁は、外層４０，４２と中間層４４との内部で整列している。
【００１３】
各外層４０，４２は内面４８，５０を有し、各内面は、他方の外層の内面に対向している。中間層４４は、互いに対向する内端面５６，５８に接続する、互いに対向する内側面５２，５４を有し、外層４０，４２と中間層４４との内面５２，５４，５６，５８が、ゲート１２の外側シール面２２，２４に対向する、ゲート１２内部のキャビティ６０を共に形成している。
【００１４】
キャビティ６０内部のキャリア７０は、閉鎖位置と開放位置との間を移動可能であるとともに、キャリア７０内部に設けられた雌ねじ山（female threads）７２によって、バルブ１０の外側のハンドル７６まで延びるねじ付きロッド７４と、直線作動するように接続されている。キャリア７０は、中央部７８と、中央部７８の両側に連結された２つの側部８０，８２とから形成されている。中央部７８には、雌ねじ山７２が形成され、中央部７８は、中間層の内端面の一方５８に設けられた隙間８４を通って延びている。
【００１５】
側部８０，８２はそれぞれ側面８６を有し、側面８６は、キャビティ６０内部でスライドして相対直線運動するために、中間層４４の隣接する内側面５２，５４と密接に相互嵌合する（closely interfit）ように間隔を置いて配置されている。さらに、側部８０，８２はそれぞれ、互いに反対側の２つの端面８８，９０を有している。各側部８０，８２の端面８８，９０は、その間の直線距離が中間層１４の内端面５６，５８間の直線距離よりも短く、それにより、開放位置と閉鎖位置との間の直線作動時に、キャビティ６０内部で直線移動の範囲がキャリア７０に与えられている。開放位置では、一方の端面８８が、中間層の一方の内端面５８と接触し、閉鎖位置では、他方の端面９０が、中間層の他方の内端面５６と接触する。このようにして、中間層の各内端面５６，５８と接触する側部の端面８８，９０が、ゲート１２を開放位置と閉鎖位置との間で移動させるように機能する。
【００１６】
側部８０，８２はそれぞれ、ゲートの外層４０，４２の内面４８，５０の方向に開口するイコライザキャビティ１００を形成する内壁を有している。イコライザキャビティ１００内部のイコライザゲート１０２は、イコライザキャビティ１００に対して密接に相互嵌合するとともに浮動係合（floating engagement）するように寸法設定されている。各イコライザゲート１０２は、ゲートの外層４０，４２の内面４８，５０の方向に面する、互いに反対側の２つのシール面１０４を有している。
【００１７】
各イコライザゲート１０２の各シール面１０４と、ゲートの外層４０，４２の各内面４８，５０との間に、２つのシールプレート１０６が配置されている。シールプレート１０６は、テフロン（登録商標）などのシール材料から形成されている。
【００１８】
ゲート１２の外層４０，４２に設けられた壁によって、ゲート１２の互いに反対側の外側シール面２２，２４間に設けられ、互いに間隔をおいて配置された２つのゲートイコライザポート１１０，１１２が規定される。ゲートイコライザポート１１０，１１２は、外層４０，４２間を、各外層４０，４２の外側シール面２２，２４からキャビティ６０まで延びている。シールプレート１０６に設けられた壁によって、ゲートイコライザポート１１０，１１２に整列したシールプレート１０６のシールイコライザポート１１４が規定される。イコライザゲート１０２に設けられた壁によって、各イコライザゲート１０２の移動可能な内部イコライザポート１１６が規定される。内部イコライザポート１１６は、キャリア７０が開放位置にあるときには、ゲートイコライザポート１１０，１１２とシールイコライザポート１１４とに整列することによって開放され、キャリア７０が閉鎖位置にあるときには、ゲートイコライザポート１１０，１１２とシールイコライザポート１１４とに整列しない状態に移動することによって閉鎖されるように寸法設定および配置されている。
【００１９】
動作中は、図６Ａから図６Ｇに示すように、ゲート１２を作動させるハンドル７６の操作によって、イコライザポート１１０，１１２，１１４，１１６の開閉動作が自動的に順を追って行われる。図６Ａでは、バルブ１０は閉鎖され、ゲート１２およびキャリア７０は、それぞれ閉鎖位置にある。内部イコライザポート１１６は、ゲートイコライザポート１１０，１１２とシールイコライザポート１１４とに整列しない状態であり、それによって、バルブを挟んだ差圧に逆らってイコライザポートを閉鎖させることができる。キャビティ１００内でイコライザゲート１０２が浮動係合していることで、差圧によってイコライザゲート１０２をシールプレート１０６に押し付けることができ、そうしてシールが可能となる。
【００２０】
図６Ｂでは、ハンドル７６が回転して、キャリア７０は、側部端面がゲート層の中間層の内端面に当接する開放位置まで上昇している。ゲート１２はまだ移動していない。キャリア７０のこの移動によって、ポート１１０，１１２，１１４，１１６が整列して、イコライザポートが開放するとともに、バルブを挟んだ圧力が等しくなる。差圧が高い場合であっても、関連する表面積が小さいため、イコライザポートを開放するのに必要な力は最小となる。流れと摩擦とが存在する状態でイコライザポートを繰り返し作動させることによって損傷が発生した場合には、その損傷は、安価なテフロン（登録商標）のシールプレートを交換することで、安い費用で容易に修理することができる。
【００２１】
図６Ｃでは、ゲート１２は、キャリア７０によって、主通路がわずかに開放する地点まで上昇している。バルブを挟んだ圧力はすでに等しくなっているため、ゲートを移動させるのに必要な力は最小で済み、バルブをわずかに開放しても、損害を与えるような流れは発生しない。図６Ｄでは、バルブは完全に開放され、ゲート１２は開放位置にある。キャリア７０は、依然として開放位置にある。
【００２２】
図６Ｅから図６Ｇは、閉鎖過程を示している。最初にハンドル７６が回転されると、キャリア７０は、図６Ｅに示す閉鎖位置まで移動する。イコライザポート１１０，１１２，１１４，１１６は、整列しない状態に移動して閉鎖される。ゲート１２はまだ移動していない。図６Ｆでは、バルブは部分的に閉鎖され、図６Ｇでは、バルブは（図６Ａの場合と同様に）完全に閉鎖されている。
【００２３】
図７は、バルブ１５０が上昇ステムバルブである代替の実施形態を示している。上昇ステムバルブにおいて、ステム１５２は、ハンドル１５６の雌ねじ（internal thread）１５４に引き込まれている。バルブ１０とは異なり、ステム１５２は、ゲート１５８に対して回転しない。これにより、キャリア７０を、それぞれがイコライザゲート１０２を備えた２つの側部８０，８２と、中央部７８とで構成することが必要であった、キャリアを貫通するステムの通路を設けることの必要性がなくなる。図７のバルブでは、イコライザポート１６２，１６４を備え、その他の点ではバルブ１０の場合と同様に構成された、より簡単な１つのイコライザゲート１６０が使用されている。
【００２４】
上述した構成部品のそれぞれ、あるいは、２つ以上の構成部品の組み合わせも、上述した種類とは異なる他の種類の構成で有効に応用することができることが理解されるであろう。
【００２５】
本発明について、特定のゲートバルブで実施されたものとして図示および説明したが、当業者にとっては、本発明の精神から何ら逸脱することなく、図示した装置の形態および詳細やその動作に対する様々な省略、修正、置換、および変更が可能であることが理解されるため、本発明は、説明した詳細に限定されるように意図されたものではない。
【００２６】
さらに分析することなく、上述した内容によって本発明の趣旨が完全に明らかにされ、他の者は、従来技術の観点からすれば、本発明の一般的または特定の態様の本質的な特性を適正に構成する特徴を省略することなく、現在の知識を適用することによって、様々な用途に対して本発明を容易に適用することができるであろう。
【図１】
2011517755.tif 000003
【図２】
2011517755.tif 000004
【図３】
2011517755.tif 000005
【図４】
2011517755.tif 000006
【図５】
2011517755.tif 000007
【図６Ａ】
2011517755.tif 000008
【図６Ｂ】
2011517755.tif 000009
【図６Ｃ】
2011517755.tif 000010
【図６Ｄ】
2011517755.tif 000011
【図６Ｅ】
2011517755.tif 000012
【図６Ｆ】
2011517755.tif 000013
【図６Ｇ】
2011517755.tif 000014
【図７】
2011517755.tif 000015
【国際調査報告】
2011517755.tif 000016